【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】
配列番号：１で表わされるアミノ酸配列と同一もしくは実質的に同一のアミノ酸配列を含有するタンパク質またはその塩。
【請求項２】
配列番号：１で表わされるアミノ酸配列を含有する請求項１記載のタンパク質またはその塩。
【請求項３】
配列番号：１５または配列番号：２６で表わされるアミノ酸配列と同一もしくは実質的に同一のアミノ酸配列を含有するタンパク質またはその塩。
【請求項４】
配列番号：１５または配列番号：２６で表わされるアミノ酸配列を含有する請求項３記載のタンパク質またはその塩。
【請求項５】
請求項１記載のタンパク質の部分ペプチドまたはその塩。
【請求項６】
請求項３記載のタンパク質の部分ペプチドまたはその塩。
【請求項７】
請求項１記載のタンパク質または請求項５記載の部分ペプチドをコードするＤＮＡを含有するＤＮＡ。
【請求項８】
請求項３記載のタンパク質または請求項６記載の部分ペプチドをコードするＤＮＡを含有するＤＮＡ。
【請求項９】
配列番号：２で表わされる塩基配列を有する請求項７記載のＤＮＡ。
【請求項１０】
配列番号：７で表わされる塩基配列を有する請求項７記載のＤＮＡ。
【請求項１１】
配列番号：１６または配列番号：２７で表わされる塩基配列を有する請求項８記載のＤＮＡ。
【請求項１２】
請求項７記載のＤＮＡを含有する組換えベクター。
【請求項１３】
請求項８記載のＤＮＡを含有する組換えベクター。
【請求項１４】
請求項１２記載の組換えベクターで形質転換された形質転換体。
【請求項１５】
請求項１３記載の組換えベクターで形質転換された形質転換体。
【請求項１６】
請求項１４記載の形質転換体を培養し、請求項１記載のタンパク質または請求項５記載の部分ペプチドを生成、蓄積せしめ、これを採取することを特徴とする請求項１記載のタンパク質もしくは請求項５記載の部分ペプチドまたはその塩の製造法。
【請求項１７】
請求項１５記載の形質転換体を培養し、請求項３記載のタンパク質または請求項６記載の部分ペプチドを生成、蓄積せしめ、これを採取することを特徴とする請求項３記載のタンパク質もしくは請求項６記載の部分ペプチドまたはその塩の製造法。
【請求項１８】
請求項１記載のタンパク質もしくは請求項５記載の部分ペプチドまたはその塩を含有してなる医薬。
【請求項１９】
請求項３記載のタンパク質もしくは請求項６記載の部分ペプチドまたはその塩を含有してなる医薬。
【請求項２０】
請求項７記載のＤＮＡを含有してなる医薬。
【請求項２１】
請求項８記載のＤＮＡを含有してなる医薬。
【請求項２２】
請求項１または請求項３記載のタンパク質をコードするポリヌクレオチドを含有するポリヌクレオチドもしくは請求項５または請求項６記載の部分ペプチドをコードするポリヌクレオチドを含有するポリヌクレオチドを含有することを特徴とする診断剤。
【請求項２３】
請求項１記載のタンパク質もしくは請求項５記載の部分ペプチドまたはその塩に対する抗体。
【請求項２４】
請求項３記載のタンパク質もしくは請求項６記載の部分ペプチドまたはその塩に対する抗体。
【請求項２５】
請求項２３または請求項２４記載の抗体を含有することを特徴とする診断剤。
【請求項２６】
請求項１記載のタンパク質もしくは請求項５記載の部分ペプチドまたはその塩を用いることを特徴とする、請求項１記載のタンパク質もしくは請求項５記載の部分ペプチドまたはその塩の活性を促進または阻害する化合物またはその塩のスクリーニング方法。
【請求項２７】
請求項３記載のタンパク質もしくは請求項６記載の部分ペプチドまたはその塩を用いることを特徴とする、請求項３記載のタンパク質もしくは請求項６記載の部分ペプチドまたはその塩の活性を促進または阻害する化合物またはその塩のスクリーニング方法。
【請求項２８】
請求項７または請求項８記載のＤＮＡのプロモーター下流にレポーター遺伝子を挿入したＤＮＡを含有する組換えベクターで形質転換させた形質転換体を用いることを特徴とする、請求項１もしくは請求項３記載のタンパク質または請求項５もしくは請求項６記載の部分ペプチドの発現を促進または抑制する化合物またはその塩のスクリーニング方法。
【請求項２９】
請求項１記載のタンパク質もしくは請求項５記載の部分ペプチドまたはその塩を含有してなる、請求項１記載のタンパク質もしくは請求項５記載の部分ペプチドまたはその塩の活性を促進または阻害する化合物またはその塩のスクリーニング用キット。
【請求項３０】
請求項３記載のタンパク質もしくは請求項６記載の部分ペプチドまたはその塩を含有してなる、請求項３記載のタンパク質もしくは請求項６記載の部分ペプチドまたはその塩の活性を促進または阻害する化合物またはその塩のスクリーニング用キット。
【請求項３１】
糖尿病の予防・治療剤である請求項１８または請求項２０記載の医薬。
【請求項３２】
糖尿病の予防・治療剤である請求項１９または請求項２１記載の医薬。
【請求項３３】
糖尿病・高脂血症の診断剤である請求項２２または請求項２５記載の診断剤。
【請求項３４】
請求項１もしくは請求項３記載のタンパク質をコードするポリヌクレオチドを含有するポリヌクレオチドまたは請求項５もしくは請求項６記載の部分ペプチドをコードするポリヌクレオチドを含有するポリヌクレオチドを用いることを特徴とする糖尿病・高脂血症の診断方法。
【請求項３５】
請求項２３または請求項２４記載の抗体を用いることを特徴とする糖尿病・高脂血症の診断方法。
【請求項３６】
配列番号：２、配列番号：１６または配列番号：２７で表される塩基配列を含有するＤＮＡの一塩基多型（ＳＮＰｓ）体。
【請求項３７】
配列番号：４０、配列番号：４２または配列番号：４５の何れかで表される塩基配列を含有する請求項３６記載の一塩基多型（ＳＮＰｓ）体。
【請求項３８】
請求項３６記載の一塩基多型（ＳＮＰｓ）体にコードされるアミノ酸配列を含有するタンパク質またはその塩。
【請求項３９】
配列番号：４１、配列番号：４３または配列番号：４６の何れかで表されるアミノ酸配列を含有する請求項３８記載のタンパク質またはその塩。
【請求項４０】
配列番号：５１で表される塩基配列を含有するＤＮＡ。
【請求項４１】
配列番号：５１で表される塩基配列を含有するＤＮＡの一塩基多型（ＳＮＰｓ）体。
【請求項４２】
配列番号：５４、配列番号：５５または配列番号：５６の何れかで表される塩基配列を含有する請求項４１記載の一塩基多型（ＳＮＰｓ）体。
【請求項４３】
請求項３６記載の一塩基多型（ＳＮＰｓ）体を含有する組換えベクター。
【請求項４４】
請求項４０記載のＤＮＡまたは請求項４１記載の一塩基多型（ＳＮＰｓ）体を含有する組換えベクター。
【請求項４５】
請求項４３記載の組換えベクターで形質転換された形質転換体。
【請求項４６】
請求項４４記載の組換えベクターで形質転換された形質転換体。
【請求項４７】
請求項４５記載の形質転換体を培養し、請求項３８記載のタンパク質を生成、蓄積せしめ、これを採取することを特徴とする請求項３８記載のタンパク質またはその塩の製造法。
【請求項４８】
請求項３６記載の一塩基多型（ＳＮＰｓ）体を含有してなる医薬。
【請求項４９】
請求項３８記載のタンパク質またはその塩を含有してなる医薬。
【請求項５０】
糖尿病または高脂血症の予防・治療剤である請求項４８または請求項４９記載の医薬。
【請求項５１】
請求項３６または請求項４１記載の一塩基多型（ＳＮＰｓ）体を含有してなる診断剤。
【請求項５２】
さらに、配列番号：２、配列番号：１６、配列番号：２７または配列番号：５１で表される塩基配列を含有するＤＮＡまたはその一部を含有する請求項５１記載の診断剤。
【請求項５３】
糖尿病または高脂血症の診断剤である請求項５１記載の診断剤。
【請求項５４】
請求項３６または請求項４１記載の一塩基多型（ＳＮＰｓ）体を解析することを特徴とする糖尿病または高脂血症の診断方法。